(57)【要約】【課題】  マイクロ波の照射が被処理物の殺菌に必要な時間を超えて継続された場合において、無電極放電バルブの温度上昇を低減できる殺菌装置を供給すること。【解決手段】マイクロ波が照射されることにより紫外線を放出する物質を内部に収容した無電極放電バルブ２を有し、この無電極放電バルブ２から放出された紫外線を被処理物の被処理面に照射することにより被処理面の殺菌処理を行う殺菌装置において、無電極放電バルブ２の内部に希ガスと水銀蒸気を供給する水銀アマルガム２ｂとを封入したことを特徴とする。【選択図】        図１
2006149656.tif 000002
【特許請求の範囲】
【請求項１】
マイクロ波が照射されることにより紫外線を放出する物質を内部に収容した無電極放電バルブを有し、この無電極放電バルブから放出された紫外線を被処理物の被処理面に照射することにより被処理面の殺菌処理を行う殺菌装置において、前記無電極放電バルブの内部に希ガスと水銀蒸気を供給する水銀アマルガムとを封入したことを特徴とする殺菌装置。
【請求項２】
前記無電極放電バルブにマイクロ波が照射されたときに前記水銀アマルガムから無電極放電バルブ内に供給される水銀量が無電極放電バルブ内部圧力で０．１３３パスカル〜１３３パスカルとなるように水銀アマルガムを封入したことを特徴とする請求項１記載の殺菌装置。
【請求項３】
前記無電極放電バルブの近傍にマイクロ波が照射されることにより放電が発生して放射光を発する始動補助バルブを設け、この始動補助バルブの内面の一部に金属膜を形成するとともに始動補助バルブの内部に前記無電極放電バルブに封入したものと同じ種類の希ガスを封入したことを特徴とする請求項１又は２記載の殺菌装置。
【発明の詳細な説明】
【技術分野】
【０００１】
本発明は、一般家庭にある電子レンジ等のマイクロ波発生装置を用いて、紫外線による被処理物の殺菌処理を行う殺菌装置に関する。
【背景技術】
【０００２】
この種の殺菌装置としては、特開２００４−１４７８７３号公報に開示されたものがある。図６は、これに開示された殺菌装置の斜視図である。
このものは、マイクロ波が照射されることにより紫外線を放出する物質を内部に収容した無電極放電バルブ２０と、無電極放電バルブ２０を支持するバルブ支持部３と、被処理物１０の被処理面が同無電極放電バルブ２０の紫外線放出面と対向するようにこの被処理物１０を保持する保持部４と、マイクロ波は透過させるが紫外線は透過させない材料で形成された容器９を備えている。そして、この容器９は、開閉自在に結合される二つの略器状体９ａ、９ｂに分割形成されており、両略器状体９ａ、９ｂの内底部分の各々には、バルブ支持部３が配設されている。
ここで無電極放電バルブ３は、少なくとも紫外線を透過する小径ガラス管に希少ガス及び水銀を封入してなり、電子レンジのマイクロ波によって殺菌に適した波長の紫外線を周囲に向けて放出するものである。
【０００３】
そして、一方の略器状体９ａ内に被処理物１０をセットし、この状態で他方の略器状体９ｂを嵌着結合して、両略器状体９ａ、９ｂでなる容器１１を閉じ、これを電子レンジ内に収容設置すると、この電子レンジ内で照射されるマイクロ波により無電極放電バルブ２０は殺菌に適した波長の紫外線を周囲に向けて放出し、電子レンジを利用して被処理物１０の被処理面すなわち被処理物１０の表側面と裏側面の殺菌処理を行うことができる。
【特許文献１】特開２００４−１４７８７３号公報
【発明の開示】
【発明が解決しようとする課題】
【０００４】
ところが無電極放電バルブ２０にマイクロ波を照射すると無電極放電バルブ２０内に放電が起こり、これによりプラズマが発生する。そしてプラズマ内の電子は、マイクロ波により加速され中性原子や内壁に衝突し、これにより無電極放電バルブ２０の温度が上昇する。特に、マイクロ波の照射が被処理物１０の殺菌に必要な時間以降も継続すると無電極放電バルブ２０の温度は、想定外に上昇することがある。具体的には、被処理物１０に電子レンジを３分動作させれば殺菌が行えるところを１０分程度動作させた場合には、無電極放電バルブ２０の温度がこれを支持するバルブ支持部３の耐熱温度以上に上昇してしまうことがあった。
したがって電子レンジを長時間動作されても問題がないようにするためには、バルブ支持部３をセラミック材料のもので形成するなどの特別な処置が必要となっていた。
【０００５】
本発明は、上記事由に鑑みてなしたもので、その課題は、マイクロ波の照射が被処理物の殺菌に必要な時間を超えて継続された場合において、無電極放電バルブの温度上昇を低減できる殺菌装置を供給することにある。
【課題を解決するための手段】
【０００６】
水銀及び水銀アマルガムは図７に示すような蒸気圧特性を持っている。特徴的なことは、
・水銀と比較して水銀アマルガムの蒸気圧が低い
・室温以上の温度において水銀アマルガムが固体として存在する領域、固体に液相が混在する領域、液体の領域が存在する。
・水銀アマルガムはそれぞれの領域で蒸気圧特性が変わる。
・水銀アマルガムに対する水銀の比率を変えることによりある程度蒸気圧特性を制御できる。
などが挙げられる。
水銀の供給源として無電極放電バルブに水銀アマルガムを封入すると、マイクロ波を受けることにより無電極放電バルブ内部で放電し無電極放電バルブの温度が上がっても水銀アマルガムの蒸気圧は水銀に比べて低く制御される。例えば、無電極放電バルブが始動しその温度が４０℃に達したと仮定すると、水銀では約０．８パスカルとなるが、水銀アマルガムの場合０．１３３パスカルと１／６の蒸気圧にしかならない。その結果、水銀を封入した無電極放電バルブに比べ水銀アマルガムを封入した無電極放電バルブではプラズマ内での電子と水銀との衝突が少なくなり衝突によるバルブ温度の上昇を低く抑えることができる。
【０００７】
以上のことにより、本発明の請求項１に係る発明の殺菌装置は、マイクロ波が照射されることにより紫外線を放出する物質を内部に収容した無電極放電バルブを有し、この無電極放電バルブから放出された紫外線を被処理物の被処理面に照射することにより被処理面の殺菌処理を行う殺菌装置において、前記無電極放電バルブの内部に希ガスと水銀蒸気を供給する水銀アマルガムとを封入したことを特徴とする。
【０００８】
請求項２に係る発明の殺菌装置は、請求項１において前記無電極放電バルブにマイクロ波が照射されたときに前記水銀アマルガムから無電極放電バルブ内に供給される水銀量が無電極放電バルブ内部圧力で０．１３３パスカル〜１３３パスカルとなるように水銀アマルガムを封入したことを特徴とする。
【０００９】
請求項３に係る発明の殺菌装置は、請求項１又は２において前記無電極放電バルブの近傍にマイクロ波が照射されることにより放電が発生して放射光を発する始動補助バルブを設け、この始動補助バルブの内面の一部に金属膜を形成するとともに始動補助バルブの内部に前記無電極放電バルブに封入したものと同じ種類の希ガスを封入したことを特徴とする。
【発明の効果】
【００１０】
請求項１記載の発明にあっては、無電極放電バルブの内部に希ガスと水銀蒸気を供給する水銀アマルガムとを封入したことにより、無電極放電バルブの温度が上がっても水銀アマルガムの蒸気圧は水銀に比べて低く制御されるのでプラズマ内での電子と水銀との衝突が少なくなり衝突による無電極放電バルブの温度上昇を低減できるものとなる。
【００１１】
請求項２記載の発明にあっては、無電極放電バルブにマイクロ波が照射されたときに前記水銀アマルガムから無電極放電バルブ内に供給される水銀量が無電極放電バルブ内部圧力で０．１３３パスカル〜１３３パスカルとなるように水銀アマルガムを封入したことにより、請求項１のものより、さらにプラズマ内での電子と水銀との衝突が少なくなり衝突による無電極放電バルブの温度上昇をより低減できるものとなる。
【００１２】
請求項３記載の発明にあっては、無電極放電バルブの近傍にマイクロ波が照射されることにより放電が発生して放射光を発する始動補助バルブを設け、この始動補助バルブの内面の一部に金属膜を形成するとともに始動補助バルブの内部に前記無電極放電バルブに封入したものと同じ種類の希ガスを封入したことにより、無電極放電バルブの始動性を向上させることができる。
【発明を実施するための最良の形態】
【００１３】
（第１の実施の形態）
本発明の請求項１に対応した第１の実施の形態を図１〜図３を用いて説明する。図１は殺菌装置の一部を切り欠いた斜視図、図２はこのものをマイクロ波発生装置に収容した状態を示す概念図、図３は無電極放電バルブの断面図である。
【００１４】
この殺菌装置は、マイクロ波が照射されることにより紫外線を放出する物質を内部に収容した無電極放電バルブ２と、無電極放電バルブ２を支持するバルブ支持部３と、被処理物１０の被処理面が同無電極放電バルブ２の紫外線放出面と対向するようにこの被処理物１０を保持する保持部４と、マイクロ波は透過させるが紫外線は透過させない材料で形成された容器９と、を備えて構成されている。
なお、ここでは被処理物１０は、哺乳瓶の乳首具１０ａとこれを取り付ける取付具１０ｂとでなっている。
【００１５】
無電極放電バルブ２は、長手方向の両端部が密閉された略円筒状の中空石英ガラス管２ａと、この内部に封入されたアルゴンと水銀蒸気を供給する水銀アマルガム２ｂと、を有している。そして無電極放電バルブ２は、マイクロ波の電界エネルギーを受けて励起された水銀原子等から放出される紫外線を、容器９の内部へ向かって照射するようにバルブ支持部３で支持されている。ここでは、容器９となる両略器状体９ａ、９ｂの内底部分の各々にバルブ支持部３が配設固定されており、両バルブ支持部３で支持される二つの無電極放電バルブ２は同容器９の内部で上下に対向配置されている。
【００１６】
さらに詳しくは、無電極放電バルブ２の石英ガラス管２ａは、内径Ｌが８ｍｍ、長さＨが２０ｍｍ、厚さ1ｍｍのものであり、水銀アマルガム２ｂは、ビスマス−インジウム−水銀から構成されている。ここで水銀アマルガム２ｂに対する水銀の含有量は、重量比で１２％としている。これに対して比較例（従来のもの）としたものは、水銀アマルガム２ｂに含有された水銀量と同じ量の水銀を無電極放電バルブ２０内に封入しており、その他の構成は前記したものと同じとしている。
【００１７】
バルブ支持部３は、耐熱温度が２００℃以上のフッ素系の熱硬化性樹脂でなり、無電極放電バルブ２を支持した状態でこれと一体に同時成形されて、バルブ支持部３に同無電極放電バルブ２が支持固定される。
【００１８】
保持部４はバルブ支持部３の周囲に配設される複数の保持片４ａを有し、各保持片４ａには哺乳瓶の取付具１０ｂの下端開口縁部分を係合保持する開口部４ｂが形成されており、各開口部４ｂは上方に開口していてその内部に同取付具１０ｂの下端開口縁部分が上方から挿合されて係合保持される。なお、被処理物１０は哺乳瓶やその部品に限られるものでなく、殺菌処理が必要で容器９の内部に収容されて保持部４で保持されるものであればよい。
【００１９】
容器９は、卵形であり、容器９を構成する両略器状体９ａ、９ｂは、いずれもマイクロ波を透過させるが紫外線を透過させない材料、例えば、フッ素系樹脂等で形成されている。この場合に、少なくとも上側に位置してカバーとなる略器状体９ｂは、可視光を透過させるものであることが好ましい。又、両略器状体９ａ、９ｂの内面或いは外面の少なくとも一部分に蛍光物質を塗布しておくか、または、同両略器状体９ａ、９ｂの材料に蛍光物質を混入しておくことが好ましい。そして、下側に位置してベースとなる略器状体９ａの底部外周には複数の脚片９ａ１が突設され、各脚片９ａ１によって容器９は載置保持される。
【００２０】
次に、この殺菌装置の使用方法について説明する。予め、洗剤等で洗浄された哺乳瓶の乳首具１０ａを取付具１ｂに装着し、この取付具１０ｂの内周ネジ面を保持部４の開口部４ｂに挿入して、被処理物１０（乳首具１０ａ、取付具１０ｂ）を下側の略器状体９ａの同保持部４上に載置する。そして、下側の略器状体９ａに上側の略器状体９ｂを嵌着結合して、両略器状体９ａ、９ｂでなる容器９を閉じる。これによって、下側の無電極放電バルブ２が被処理物１０の内面に対向し、上側の無電極放電バルブ２が同被処理物１０の外面に対向した状態となる。
【００２１】
前記の如く、被処理物１０が容器９の内部に収容保持された状態で、図２に示す如く、同容器９をマイクロ波発生装置である電子レンジ１５（７００Ｗの出力のものを用いた。）の内部底面１５ａ上に収容載置し、扉１５ｂを閉じてこの電子レンジ１５を起動し、マイクロ波を同容器９に向けて照射する。
マイクロ波は容器９（両略器状体９ａ、９ｂ）を透過し、更に、被処理物１０（乳首具１０ａ、取付具１０ｂ）を透過して、下側の無電極放電バルブ２に到達すると共に、同容器９（両略器状体９ａ、９ｂ）のみを透過して、上側の無電極放電バルブ２にも到達する。
【００２２】
両無電極放電バルブ２に到達したマイクロ波は、同無電極放電バルブ２の内部の水銀原子を励起し、励起された水銀原子から紫外線が放出される。紫外線は無電極放電バルブ２の石英ガラス管２ａを透過して外部に放出され、被処理物１０の内面及び外面の各々に照射される。この場合、下側の無電極放電バルブ２の露出した紫外線放出面から放出される紫外線は被処理物１の内面に照射され、上側の無電極放電バルブ２の露出した紫外線放出面から放出される紫外線は同被処理物１の外面に照射される。
【００２３】
前記紫外線は、例えば、２５４ｎｍの殺菌効果を有する紫外線であり、被処理物１の内面及び外面を殺菌処理する。なお、この実施形態の殺菌装置は、特に、一般家庭にある電子レンジ１５すなわち２．４５ＧＨｚ（波長１２ｃｍ）のマイクロを発生させるものを用いて手軽に紫外線殺菌を行うことができるものである。
【００２４】
ここで無電極放電バルブ２から紫外線が放出される過程を詳細に説明する。無電極放電バルブ２にマイクロ波が照射されると無電極放電バルブ２の内部の電子が加速され水銀原子に衝突し、これを電離させる。そしてある程度、電子の数が増えるとマイクロ波により直接エネルギーを受けて放電維持することが可能になる。放電が維持された状態では電子は、マイクロ波による電界で加速され水銀原子に衝突し、水銀原子を電離させたり励起させたりする。そして励起された水銀原子が基底状態にもどるときにそのエネルギー差を光として放出する。水銀の一励起放射波長は、２５４ｎｍの紫外線であり、この光は強い殺菌作用を持っている。なお、電子は、水銀原子に衝突する以外に中性原子や中空石英ガラス管２ａの内壁に衝突するので中空石英ガラス管２ａの温度が上昇する。
【００２５】
このときの無電極放電バルブ２の温度を測定すると以下のようになった。具体的には、殺菌装置の定格動作時間である１分間を超えて使われた場合を想定して、定格動作時間の１０倍である１０分間の温度を測定した。
その結果、水銀アマルガム２ｂを封入した無電極放電バルブ２の温度は、殺菌装置の定格動作時間である１分後には約８０℃になり、１０分間点灯後の温度は約２００℃となった。これに対して、比較例（従来のもの）である無電極放電バルブ２０は、始動から１分で１２０℃、３分後には２００℃を超え、１０分後には２４５℃にまで達した。
【００２６】
すなわち、水銀アマルガム２ｂを封入した無電極放電バルブ２では定格動作時間である１分間の動作を行った場合の温度を４０度下げることができた。これらの結果が示すように、水銀アマルガム２ｂを用いて無電極放電バルブ２内へ水銀蒸気を供給すると、水銀の蒸気圧が水銀アマルガム２ｂにより制御される為温度上昇が抑制され安全性の高い殺菌装置を得ることができる。
【００２７】
この実施の形態によると、無電極放電バルブ２の内部に希ガスと水銀蒸気を供給する水銀アマルガム２ｂとを封入したことにより、無電極放電バルブ２の温度が上がっても水銀アマルガム２ｂの蒸気圧は水銀に比べて低く制御されるのでプラズマ内での電子と水銀との衝突が少なくなり衝突による無電極放電バルブの温度上昇を低減できるものとなる。これにより無電極放電バルブ２を支持するバルブ支持部３は、フッ素系の熱硬化性樹脂を使用することができ、さらにバルブ支持部３を支持する容器９は、さらに耐熱温度の低いポリプロピレンなどの樹脂を使用することができるものとなる。
【００２８】
なお、無電極放電バルブ２の封入物については水銀アマルガム２ｂとアルゴンで説明したが、アルゴンに替えてキセノンやクリプトン、ネオンなども用いても同様の効果を得ることができる。
【００２９】
次に、この実施の形態の応用例を説明する。この応用例は、本発明の請求項２に対応したものである。図４は水銀アマルガムに含まれる水銀の含有比率と無電極放電バルブ２の温度との関係を示す図である。このものは、前述した殺菌装置の無電極放電バルブ２の内部に封入した水銀アマルガム２ｂの水銀の含有比率を下げたものであり、その他の構成部材は、第１の実施の形態にて説明したものと同一である。具体的には、水銀の含有量が重量比で３．５％の無電極放電バルブを２Ｘ、水銀の含有量が重量比で０．８％の無電極放電バルブを２Ｙ、そして、前述の実施の形態で説明した水銀の含有量が重量比で１２％の無電極放電バルブを２、同様に前述した比較例（水銀のみでアマルガムを含んでいないもの）にあたる無電極放電バルブを２０、としている。
【００３０】
このように構成された殺菌装置を１０００ワットの電子レンジ１５の内部に入れマイクロ波を照射すると、前述した実施の形態において説明したものと同様にして無電極放電バルブ２、２０、２Ｘ、２Ｙの温度は上昇する。このときの温度は、図４に示すようになった。一例を無電極放電バルブ２Ｙで説明すると、マイクロ波が照射されて３０秒後には無電極放電バルブ２Ｙの温度が８９℃になり、さらに６０秒後には、１４１℃となった。このものでは実施の形態において説明した無電極放電バルブ２よりもその温度上昇を低減できるものとなった。
【００３１】
さらにこの結果を調べると無電極放電バルブ２０、および、無電極放電バルブ２では無電極放電バルブの温度が上昇するに従い輝度とバルブ温度が急激に上昇する現象が発生した（以下この状態を高輝度放電モードと称する）。これは温度上昇と水銀蒸気圧の増加の連鎖により無電極放電バルブ２０、２内の水銀の蒸気圧が高くなり過ぎた結果、高圧放電に近い状態に至ったものと考えられる。    
【００３２】
そこで、このモードになる無電極放電バルブの温度を測定すると、無電極放電バルブ２０では約１３０（℃）、無電極放電バルブ２では約１９０（℃）であった。そこで、水銀アマルガムの水銀含有量を様々に変えた無電極放電バルブを試作して高輝度放電モードに遷移する無電極放電バルブの温度を測定し、高輝度放電モードが開始されるときの水銀の蒸気圧を算出した。その結果、水銀の蒸気圧が１３３パスカル（Ｐａ）を越えると高輝度放電モードが出現する確率が高くなることが判明した。無電極放電バルブの温度が急激に上昇する高輝度放電モードの出現は殺菌装置の破損や火傷など取扱者に被害を与える可能性がある。したがって水銀の蒸気圧を１３３パスカル（Ｐａ）以下とすることにより安全性の高い殺菌装置を提供することができる。
【００３３】
一方、定格時間である１分後の紫外線量は無電極放電バルブ２０の出力を１００％とした場合、無電極放電バルブ２は１６０％、無電極放電バルブ２Ｘは２００％、無電極放電バルブ２Ｙは１９０％の紫外線出力を得ることができた。
このように、無電極放電バルブの温度を低減でき、かつ、紫外線出力も増加することができるため、安全で効果の高い殺菌装置を提供することができる。
【００３４】
なお、水銀の蒸気圧の下限値に関しては、無電極放電バルブ２を設計することにより２５４ｎｍを中心とした殺菌に適した波長の光を効率よく発する蒸気圧である０．１３３パスカル以上の水銀蒸気圧となるものにしておくことが望ましい。
【００３５】
このものは無電極放電バルブにマイクロ波が照射されたときに水銀アマルガムから無電極放電バルブ内に供給される水銀量が無電極放電バルブ内部圧力で０．１３３パスカル〜１３３パスカルとしたことにより、プラズマ内での電子と水銀との衝突が少なくなり衝突による無電極放電バルブの温度上昇をより低減できるものとなる。
【００３６】
特に、この実施の形態においては、無電極放電バルブの温度を１５０（℃）以下に抑えることができるようになるので、バルブ支持部３に紫外線に対する耐久性があり加工性もよくガラスに比べて安価で、かつ、食品への安全性も高いポリプロピレン（ＰＰ）を使用することが可能となる。ポリプロピレン（ＰＰ）の使用により軽量で、かつ、コストも抑えた殺菌装置を提供することができる。
【００３７】
（第２の実施の形態）
本発明の請求項３対応した第２の実施の形態を図５を用いて説明する。図５は概念的に図示した殺菌装置の一部を切り欠いた斜視図である。このものは、第１の実施の形態における殺菌装置の無電極放電バルブ２の近傍にマイクロ波が照射されることにより放電が発生して放射光を発する始動補助バルブ３０を設けたものであり、その他の構成部材は、第１の実施の形態にて説明したものと同一である。
【００３８】
始動補助バルブ３０は、無電極放電バルブ２と同じような形状をなし、無電極放電バルブ２に接して設けられている。この始動補助バルブ３０は、マイクロ波が照射されることにより放電が発生して放射光を発するものであり、この始動補助バルブ３０の内面の一部に金属膜を形成するとともに始動補助バルブ３０の内部に無電極放電バルブ２に封入したものと同じ種類の希ガスを封入している。
【００３９】
さらに詳しくは、始動補助バルブ３０の内面にはバリウムの清浄な金属膜が形成されておりアルゴンが１３３０パスカル（Ｐａ）封入されている。このように構成したので始動補助バルブ３０は、バリウム金属膜のゲッター作用で放電空間に不純物が少なくなり、加えて、マイクロ波によりバリウム金属膜が温められることにより仕事関数の小さいバリウムは放電空間中に電子を放出する。このため放電の始動に必要な初期電子が十分に供給されることになり、始動が容易になる。
【００４０】
無電極放電バルブ２は、第１の実施の形態で説明したものと同じ構成である。無電極放電バルブ２は、水銀アマルガム２ｂが封入されているので、同様に比較例で説明した水銀を封入したものに比べて蒸気圧が低い。このため、始動前の無電極放電バルブ２の温度（常温）では蒸発している水銀粒子の数が少ない為に始動しにくくなるものがあった。その他の第１の実施の形態と同一の構成部材には同一符号を付すことにより説明を省略する。
【００４１】
このように構成された殺菌装置を電子レンジ１５の内部に入れマイクロ波を照射すると、始動補助バルブ３０がまず始動する。始動補助バルブ３０には無電極放電バルブ２と同じ種類の希ガス、ここではアルゴンが封入されており、アルゴンの発光が無電極放電バルブ２に照射される。無電極放電バルブ２内のアルゴンは電離や励起に必要なエネルギーを始動補助バルブ３０のアルゴンの発光から容易に得ることができるために絶縁破壊が生じ、最終的に無電極放電バルブ２の放電が開始される。これにより、無電極放電バルブ２の始動を確実に行うことができ、信頼性の高い殺菌装置を提供することが可能となる。
【図面の簡単な説明】
【００４２】
【図１】本発明の第１の実施の形態に係る図で、殺菌装置の一部を切り欠いた斜視図である。
【図２】同上の殺菌装置をマイクロ波発生装置に収容した状態を示す概念図である。
【図３】同上の無電極放電バルブの断面図である。
【図４】同上の殺菌装置の応用例を示す図で、水銀アマルガムに含まれる水銀の含有比率と無電極放電バルブの温度との関係を示す図である。
【図５】本発明の第２の実施の形態に係る図で、概念的に図示した殺菌装置の一部を切り欠いた斜視図である。
【図６】従来例に係る、殺菌装置の一部を切り欠いた斜視図である。
【図７】水銀及び水銀アマルガムの蒸気圧特性図である。
【符号の説明】
【００４３】
２      無電極放電バルブ
２ａ    石英ガラス管
２ｂ    水銀アマルガム
３０    始動補助バルブ
３      バルブ支持部
４      保持部
９      容器
１０    被処理物
１５    電子レンジ
【図１】
2006149656.tif 000003
【図２】
2006149656.tif 000004
【図３】
2006149656.tif 000005
【図４】
2006149656.tif 000006
【図５】
2006149656.tif 000007
【図６】
2006149656.tif 000008
【図７】
2006149656.tif 000009